(57)【特許請求の範囲】
【請求項１】
洗浄水タンクから所定量の洗浄水を便器に流して便器洗浄を行うように構成されたトイレ洗浄装置において、
上記洗浄水タンクとして、上水系統から供給される上水を貯留する上水タンクと、浴槽から中水ポンプによって供給される中水を貯留する中水タンクとを備えており、
上記上水タンクと上記便器との間の上水配管に、上記上水タンクから上記便器に供給される上水の量を調節するための上水流量弁が配置されるとともに、上記中水タンクと上記便器との間の中水配管に、上記中水タンクから上記便器に供給される中水の量を調節するための中水流量弁が配置されており、
上記所定量の洗浄水として、上記中水タンクから上記便器へ中水を流した後に上記上水タンクから上記便器へ上水を流すように、上記上水流量弁および上記中水流量弁を制御するコントローラを備えている、ことを特徴とするトイレ洗浄装置。
【請求項２】
上記コントローラによる上記上水流量弁および上記中水流量弁の制御が、上記所定量の洗浄水に対して半分以上の量の中水を流した後に残りの量の上水を流すように行われる、ことを特徴とする請求項１記載のトイレ洗浄装置。
【請求項３】
上記中水ポンプとして、電動ポンプと手動ポンプとが並列で配置されており、
上記浴槽と上記両ポンプとの間の中水配管に、上記両ポンプ間において流路を切り換えるための切換弁が配置されている、ことを特徴とする請求項１または２記載のトイレ洗浄装置。
【請求項４】
上記浴槽と上記切換弁との間の中水配管に、上記浴槽からの中水の供給を停止するための止水弁が配置されている、ことを特徴とする請求項３記載のトイレ洗浄装置。
【発明の詳細な説明】
【技術分野】
【０００１】
本願発明は、洗浄水タンクから所定量の洗浄水を便器に流して便器洗浄を行うように構成されたトイレ洗浄装置に関するものである。
【背景技術】
【０００２】
トイレ洗浄装置付きのトイレにおいては、そのトイレ洗浄装置によって、排泄後の便器に洗浄水タンクから所定量の洗浄水を流して便器洗浄を行うように構成されている。
【０００３】
このようなトイレ洗浄装置として、従来より、例えば「特許文献１」〜「特許文献４」に記載されているように、浴槽の残り湯等の中水を洗浄水として利用することにより、水道水等の上水の節水を図るように構成された上水節水型のトイレ洗浄装置が知られている。
【０００４】
その際、「特許文献１」に記載されたトイレ洗浄装置においては、手洗い付きタンクとして構成された洗浄水タンクに対して、上水系統からの上水を供給した後に、浴槽から中水ポンプによって中水を供給する構成とし、これにより上水での手洗いを可能としつつ上水の節水を図る工夫がなされている。
【先行技術文献】
【特許文献】
【０００５】
【特許文献１】特開２０００−１２０１３１号公報
【特許文献２】特開２００９−３０３８５号公報
【特許文献３】特開２００９−１２７３０９号公報
【特許文献４】特開２０００−１４４８２３号公報
【発明の概要】
【発明が解決しようとする課題】
【０００６】
一般に、トイレ洗浄装置付きのトイレにおいては、洗浄後の便器に一定量の水封用の水が溜まる構成となっているが、上記「特許文献１」〜「特許文献４」の各々に記載されたトイレ洗浄装置においては、水封用の水として中水が用いられる構成となっているので、次のような問題がある。
【０００７】
すなわち、水封用の水が上水の場合には、その水が無色透明であるので、美観が保たれ、無臭である。また、トイレ使用の際、排泄した便や尿の色や出血の有無等を目視で確認することにより、自らの健康管理を行うことが可能である。これに対し、水封用の水が浴槽の残り湯等の中水である場合には、上水に比して多少の濁りが生じてしまい、またその際、入浴剤入りの残り湯が用いられたような場合には、トイレ内に入浴剤の臭気が残ってしまい、さらに水封用の水が着色された状態となるので、上記のような健康管理を的確に行うことができない、という問題がある。
【０００８】
なお、上記「特許文献１」には、洗浄水タンクに対して、上水の供給後に中水を供給した後、さらに上水を供給する構成とすることにより、洗浄水タンクへの給水配管内に残っている中水を排除し、これにより次回の便器洗浄の際にも上水での手洗いを可能とする点についても記載がなされている。しかしながら、このようにした場合においても、便器に対しては、洗浄水タンクに供給された上水と中水との混合水が洗浄水として供給されることとなるので、水封用の水を上水とすることはできない。
【０００９】
本願発明は、このような事情に鑑みてなされたものであって、洗浄水タンクから所定量の洗浄水を便器に流して便器洗浄を行うように構成されたトイレ洗浄装置において、上水の節水を図るようにした上で、水封用の水を上水とすることができるトイレ洗浄装置を提供することを目的とするものである。
【課題を解決するための手段】
【００１０】
本願発明は、洗浄水タンクとして２種類のタンクを備えた構成とした上で、便器洗浄の仕方に工夫を施すことにより、上記目的達成を図るようにしたものである。
【００１１】
すなわち、本願発明に係るトイレ洗浄装置は、
洗浄水タンクから所定量の洗浄水を便器に流して便器洗浄を行うように構成されたトイレ洗浄装置において、
上記洗浄水タンクとして、上水系統から供給される上水を貯留する上水タンクと、浴槽から中水ポンプによって供給される中水を貯留する中水タンクとを備えており、
上記上水タンクと上記便器との間の上水配管に、上記上水タンクから上記便器に供給される上水の量を調節するための上水流量弁が配置されるとともに、上記中水タンクと上記便器との間の中水配管に、上記中水タンクから上記便器に供給される中水の量を調節するための中水流量弁が配置されており、
上記所定量の洗浄水として、上記中水タンクから上記便器へ中水を流した後に上記上水タンクから上記便器へ上水を流すように、上記上水流量弁および上記中水流量弁を制御するコントローラを備えている、ことを特徴とするものである。
【００１２】
上記「コントローラ」による上水流量弁および中水流量弁の制御は、上記所定量の洗浄水として、中水タンクから便器へ中水を流した後に上水タンクから便器へ上水を流すように行われるものであれば、その際に流される中水の量と上水の量との具体的な比率については特に限定されるものではない。
【発明の効果】
【００１３】
上記構成に示すように、本願発明に係るトイレ洗浄装置は、その洗浄水タンクとして上水タンクと中水タンクとを備えており、その上で、上水タンクと便器との間の上水配管に、上水タンクから便器に供給される上水の量を調節するための上水流量弁が配置されるとともに、中水タンクと便器との間の中水配管に、中水タンクから便器に供給される中水の量を調節するための中水流量弁が配置されており、そして、便器洗浄のための所定量の洗浄水として、中水タンクから便器へ中水を流した後に上水タンクから便器へ上水を流すように、上水流量弁および中水流量弁を制御するコントローラを備えているので、次のような作用効果を得ることができる。
【００１４】
すなわち、上記所定量の洗浄水として、中水タンクから便器へ中水を流した後に上水タンクから便器へ上水を流すことにより、この洗浄水をすべて上水とした場合に比して上水の節水を図ることができる。しかも、このように中水を流した後に上水を流すことにより、水封用の水を上水とすることができる。
【００１５】
このように本願発明によれば、洗浄水タンクから所定量の洗浄水を便器に流して便器洗浄を行うように構成されたトイレ洗浄装置において、上水の節水を図るようにした上で、水封用の水を上水とすることができる。
【００１６】
そして、このように水封用の水を上水とすることにより、美観が保たれ、無臭である。また、トイレ使用の際、排泄した便や尿の色や出血の有無等を目視で確認して、自らの健康管理を行うことができる。しかも、このように水封用の水を上水とすることにより、トイレの洗浄や防汚・殺菌等のための薬品等を付加することが容易に可能となる。
【００１７】
また、本願発明に係るトイレ洗浄装置が、マンション等の集合住宅に設置される場合には、高架水槽への揚水量を少なくすることができ、これにより建物全体での節水を図ることができる。しかもその際、揚水ポンプの能力や高架水槽の容量を小さくすることができるので、これにより設備のコストダウンや省資源化等を図ることができる。
【００１８】
上記構成において、上記所定量の洗浄水として流される中水の量と上水の量との具体的な比率が特に限定されないことは上述したとおりであるが、コントローラによる上水流量弁および中水流量弁の制御が、上記所定量の洗浄水に対して半分以上の量の中水を流した後に残りの量の上水を流すように行われる構成とすれば、水封用の水を上水とした上で、上水の節水効果を高めることができる。
【００１９】
上記構成において、中水ポンプとして電動ポンプと手動ポンプとが並列で配置された構成とした上で、浴槽と両ポンプとの間の中水配管に、両ポンプ間において流路を切り換えるための切換弁が配置された構成とすれば、停電時に、浴槽の残り湯を用いた便器洗浄を、バケツ等を用いることなく容易に行うことができる。その際、切換弁の操作は、コントローラによって自動的に行われるようにしてもよいし、手動で行われるようにしてもよい。
【００２０】
上記構成において、浴槽と切換弁との間の中水配管に、浴槽からの中水の供給を停止するための止水弁が配置された構成とすれば、入浴中あるいは入浴の予定があるにもかかわらず、浴槽の湯が不用意に洗浄水として用いられてしまうのを未然に防止することができる。その際、止水弁として三方弁等の切換弁を用いるようにすれば、浴槽からの中水の供給停止だけでなく浴槽の残り湯の排水も行うことが可能となり、これにより浴槽の排水管を中水配管として利用することが可能となる。
【図面の簡単な説明】
【００２１】
【図１】本願発明の一実施形態に係るトイレ洗浄装置を示すシステム系統図
【図２】上記トイレ洗浄装置の動作を示すフローチャート
【図３】上記トイレ洗浄装置の動作を示すシステム系統図（その１）
【図４】上記トイレ洗浄装置の動作を示すシステム系統図（その２）
【発明を実施するための形態】
【００２２】
以下、図面を用いて、本願発明の実施の形態について説明する。
【００２３】
図１は、本願発明の一実施形態に係るトイレ洗浄装置１０を示すシステム系統図である。
【００２４】
同図に示すように、本実施形態に係るトイレ洗浄装置１０は、洗浄水タンク１２から所定量の洗浄水を便器５０に流して便器洗浄を行うように構成されている。
【００２５】
なお、同図において、実線の経路は配管を示しており、破線の経路は信号線を示している。
【００２６】
このトイレ洗浄装置１０は、その洗浄水タンク１２として、上水系統（例えば上水道や高架水槽等）から供給される上水Ｗａを貯留する上水タンク１２Ａと、浴槽６０から中水ポンプ３０によって供給される中水Ｗｂを貯留する中水タンク１２Ｂとを備えている。
【００２７】
また、上水タンク１２Ａと便器５０との間の上水配管１４Ａには、上水タンク１２Ａから便器５０に供給される上水Ｗａの量を調節するための上水流量弁１６Ａが配置されている。一方、中水タンク１２Ｂと便器５０との間の中水配管１４Ｂには、中水タンク１２Ｂから便器５０に供給される中水Ｗｂの量を調節するための中水流量弁１６Ｂが配置されている。
【００２８】
そして、このトイレ洗浄装置１０は、これら上水流量弁１６Ａおよび中水流量弁１６Ｂを制御するトイレ側コントローラ２０を備えている。このトイレ側コントローラ２０は、浴室側コントローラ４０と接続されている。
【００２９】
トイレ側コントローラ２０は、上記所定量の洗浄水として、中水タンク１２Ｂから便器５０へ中水Ｗｂを流した後に上水タンク１２Ａから便器５０へ上水Ｗａを流すように、上水流量弁１６Ａおよび中水流量弁１６Ｂを制御するようになっている。具体的には、上記所定量（例えば６リットル）の洗浄水に対して半分以上の量（例えば５リットル）の中水Ｗｂを流した後に残りの量（例えば１リットル）の上水Ｗａを流すようになっている。
【００３０】
これを実現するため、上水配管１４Ａにおける上水タンク１２Ａと上水流量弁１６Ａとの間の部分には、上水の流量を計測するための上水流量計１８Ａが配置されており、また、中水配管１４Ｂにおける中水タンク１２Ｂと中水流量弁１６Ｂとの間の部分には、中水の流量を計測するための中水流量計１８Ｂが配置されている。そして、トイレ側コントローラ２０は、これら上水流量計１８Ａおよび中水流量計１８Ｂの各々から送られてくる計測データに基づいて、上水流量弁１６Ａおよび中水流量弁１６Ｂの開閉タイミングを制御するようになっている。
【００３１】
上水流量弁１６Ａは、トイレ側コントローラ２０、上水流量計１８Ａおよび上水流量弁１６Ａのうちの少なくとも一つに電力が供給されなくなった場合には、止水状態となるように構成されている。
【００３２】
中水流量弁１６Ｂは、トイレ側コントローラ２０、中水流量計１８Ｂおよび中水流量弁１６Ｂのうちの少なくとも一つに電力が供給されなくなった場合には、止水状態となるように構成されている。
【００３３】
上水タンク１２Ａおよび中水タンク１２Ｂは、いずれも通常のロータンクとしての機能も兼ね備えた構成となっている。
【００３４】
すなわち、上水タンク１２Ａには、上水手動レバー２２Ａが取り付けられており、また、上水タンク１２Ａと便器５０との間には、上水配管１４Ａと並列で第２の上水配管２４Ａが配置されている。そして、上水手動レバー２２Ａの操作が行われることにより、トイレ側コントローラ２０の制御とは無関係に、上水タンク１２Ａから上記所定量の洗浄水が、上水配管２４Ａを通して便器５０に流されるようになっている。
【００３５】
一方、中水タンク１２Ｂには、中水手動レバー２２Ｂが取り付けられており、また、中水タンク１２Ｂと便器５０との間には、中水配管１４Ｂと並列で第２の中水配管２４Ｂが配置されている。そして、中水手動レバー２２Ｂの操作が行われることにより、トイレ側コントローラ２０の制御とは無関係に、中水タンク１２Ｂから上記所定量の洗浄水が、中水配管２４Ｂを通して便器５０に流されるようになっている。
【００３６】
この中水タンク１２Ｂには、該中水タンク１２Ｂに貯留されている中水Ｗｂの水位を計測するための水位計２６が設置されている。そして、この水位計２６による計測データは、トイレ側コントローラ２０に送られるようになったいる。
【００３７】
中水ポンプ３０は、浴槽６０と中水タンク１２Ｂとの間の中水配管３４に配置されている。その際、この中水ポンプ３０として、電動ポンプ３０Ｅと手動ポンプ３０Ｍとが並列で配置されている。
【００３８】
そして、中水配管３４における浴槽６０と両ポンプ３０Ｅ、３０Ｍとの間の部分には、両ポンプ３０Ｅ、３０Ｍ間において流路を切り換えるための切換弁として三方弁３２が配置されている。この三方弁３２の切換えは、トイレ側コントローラ２０による駆動制御によって自動的に行われるようになっている。その際、この三方弁３２は、トイレ側コントローラ２０および三方弁３２のうちの少なくとも一つに電力が供給されなくなった場合には、中水Ｗｂを手動ポンプ３０Ｍ側に流す状態となるように構成されている。なお、この三方弁３２は、その切換えを手動操作でも行い得るように構成されている。
【００３９】
また、この中水配管３４における浴槽６０と三方弁３２との間の部分には、浴槽６０からの中水Ｗｂの供給を停止するための止水弁として三方弁３６が配置されている。
【００４０】
さらに、中水配管３４における浴槽６０と三方弁３６との間の部分には、浴槽６０に溜まっている中水Ｗｂの水位を計測するための水位計３８が配置されている。そして、この水位計３８による計測データは、浴室側コントローラ４０に送られるようになったいる。
【００４１】
中水配管３４は、浴槽６０の排水口に接続されている。そして、この中水配管３４においては、三方弁３６の切換えにより、浴槽６０に溜まっている中水Ｗｂをそのまま下水系統へ排出することができる構成となっている。この三方弁３６の切換えは、浴室側コントローラ４０による駆動制御によって自動的に行われるようになっている。その際、この三方弁３６は、浴室側コントローラ４０および三方弁３６のうちの少なくとも一つに電力が供給されなくなった場合には、止水状態（すなわち下水系統および中水系統のいずれにも排水しない状態）になるように構成されている。ただし、この三方弁３６は、手動操作により、下水系統および中水系統のいずれかに接続することができるように構成されている。
【００４２】
浴室側コントローラ４０は、図示しない操作パネルを備えており、浴室使用者は、この操作パネルにおいて、浴槽６０に水を溜めておく「貯留」、浴槽６０の水を中水Ｗｂとして利用する「中水利用」、浴槽６０の水を排水する「排水」のいずれかを選択し得るようになっている。
【００４３】
そして、本実施形態に係るトイレ洗浄装置１０においては、・電力が供給される場合と供給されない停電の場合、・浴槽６０に水がある場合とない場合、・上水Ｗａが供給される場合と供給されない断水の場合、の３つの条件の組合せによって、異なる動作モードが選択されるようになっている。
【００４４】
次に、このトイレ洗浄装置１０の具体的な動作について、図２に示すフローチャートおよび図３、４に示すシステム系統図に従って説明する。
＜Ｉ＞電力が供給される場合（ステップＳ１でＹＥＳの場合）
［Ａ］浴槽６０に水がある場合（ステップＳ２でＹＥＳの場合）
（１）上水Ｗａが供給される場合（ステップＳ３でＹＥＳの場合）
浴室側コントローラ４０の操作パネルにおいて、浴室使用者が「中水利用」を選択した場合（ステップＳ４でＹＥＳの場合）には、ステップＳ５の「両水電動モード」が選択される。
【００４５】
すなわち、浴室側コントローラ４０は、図３（ａ）に示すように、三方弁３６を「中水利用」位置にするとともに、トイレ側コントローラ２０に「中水利用」の信号を送信する。トイレ側コントローラ２０は、この信号を受信すると、中水Ｗｂの利用が許可されていることを表示してトイレ使用者に通知する。
【００４６】
この状態で、トイレ使用者により「便器洗浄」のスイッチ操作が行われると、トイレ側コントローラ２０は、図３（ａ）に示すように、まず、中水流量弁１６Ｂを開き、これにより中水Ｗｂで便器洗浄を行う。そして、中水流量計１８Ｂからの信号により中水Ｗｂの使用量が一定量に達した段階で、中水流量弁１６Ｂを閉じる一方、上水流量弁１６Ａを開き、上水流量計１８Ａからの信号により上記所定量まで上水Ｗａで便器洗浄を行う。
【００４７】
便器洗浄終了後、トイレ側コントローラ２０は、中水タンク１２Ｂの水位計２６からの信号をモニタリングしながら電動ポンプ３０Ｅを稼働させて、浴槽６０から中水タンク１２Ｂに満水基準量までの注水を行い、次回のトイレ使用に備える。
【００４８】
また、便器洗浄終了後、上水タンク１２Ａにおいては、上水系統からの水圧により上水タンク１２Ａに満水基準量までの注水を行い、次回のトイレ使用に備える。
【００４９】
一方、浴室側コントローラ４０の操作パネルにおいて、浴室使用者が「貯留」または「排水」を選択した場合（ステップＳ４でＮＯの場合）には、ステップＳ９の「上水電動モード」が選択される。
【００５０】
すなわち、浴室側コントローラ４０は、図３（ｃ）に示すように、三方弁３６を「貯留」または「排水」位置（図３（ｃ）では「貯留」位置）にするとともに、トイレ側コントローラ２０に「貯留」または「排水」の信号を送信する。トイレ側コントローラ２０は、これらの信号を受信すると、中水Ｗｂの利用が許可されていないことを表示してトイレ使用者に通知するとともに、電動ポンプ３０Ｅを停止させ、また、中水流量弁１６Ｂを止水状態にする。
【００５１】
この状態で、トイレ使用者により「便器洗浄」のスイッチ操作が行われると、トイレ側コントローラ２０の制御は、ステップＳ９の「上水電動モード」に移行する（これについては後述する）。
（２）上水Ｗａが供給されない場合（断水の場合）（ステップＳ３でＮＯの場合）
浴室使用者が断水状態にあることを把握している場合には、浴室側コントローラ４０の操作パネルにおいて上水設定を「断水」に設定する。また、トイレ使用者が断水状態にあることを把握している場合には、トイレ側コントローラ２０の操作パネルにおいて上水設定を「断水」に設定する。
【００５２】
そして、浴室側コントローラ４０の操作パネルにおいて、浴室使用者が「中水利用」を選択した場合（ステップＳ６でＹＥＳの場合）には、ステップＳ７の「中水電動モード」が選択される。
【００５３】
すなわち、浴室側コントローラ４０は、図３（ｂ）に示すように、三方弁３６を「中水利用」位置にするとともに、トイレ側コントローラ２０に「中水利用」の信号を送信する。トイレ側コントローラ２０は、この信号を受信すると、中水Ｗｂの利用が許可されていることを表示してトイレ使用者に通知する。
【００５４】
この状態で、トイレ使用者により「便器洗浄」のスイッチ操作が行われると、図３（ｂ）に示すように、トイレ側コントローラ２０は、中水流量弁１６Ｂを開き、中水流量計１８Ｂからの信号により上記所定量まで中水Ｗｂのみで便器洗浄を行う。
【００５５】
便器洗浄終了後、トイレ側コントローラ２０は、中水タンク１２Ｂの水位計２６からの信号をモニタリングしながら電動ポンプ３０Ｅを稼働させて、浴槽６０から中水タンク１２Ｂに満水基準量までの注水を行い、次回のトイレ使用に備える。
【００５６】
一方、浴室側コントローラ４０の操作パネルにおいて、浴室使用者が「貯留」または「排水」を選択した場合（ステップＳ６でＮＯの場合）には、ステップＳ１０の「洗浄中止モード」が選択される。
【００５７】
すなわち、浴室側コントローラ４０は、図４（ｆ）に示すように、三方弁３６を「貯留」または「排水」位置（図４（ｆ）では「貯留」位置）にするとともに、トイレ側コントローラ２０に「貯留」または「排水」の信号を送信する。トイレ側コントローラ２０は、これらの信号を受信すると、中水Ｗｂの利用が許可されていないことを表示してトイレ使用者に通知するとともに、電動ポンプ３０Ｅを停止させ、また、中水流量弁１６Ｂを止水状態にする。
【００５８】
トイレ側コントローラ２０は、浴室側コントローラ４０の上水設定が「断水」の場合、中水Ｗｂ、上水Ｗａいずれでも便器洗浄ができないことを表示してトイレ使用者に通知する。
【００５９】
ただし、この場合においても、図４（ｆ）に示すように、上水タンク１２Ａ内に残っている上水Ｗａの量の範囲内または中水タンク１２Ｂ内に残っている中水Ｗｂの量の範囲内で、上水手動レバー２２Ａまたは中水手動レバー２２Ｂの操作による便器洗浄を行うことが可能である。
［Ｂ］浴槽６０に水がない場合（ステップＳ２でＮＯの場合）
（１）上水Ｗａが供給される場合（ステップＳ８でＹＥＳの場合）
浴室側コントローラ４０の操作パネルにおいて、浴室使用者は「貯留」または「排水」を選択する。この場合、ステップＳ９の「上水電動モード」が選択される。
【００６０】
すなわち、浴室側コントローラ４０は、図３（ｃ）に示すように、三方弁３６を「貯留」または「排水」位置（図３（ｃ）では「貯留」位置）にするとともに、トイレ側コントローラ２０に「貯留」または「排水」の信号を送信する。トイレ側コントローラ２０は、これらの信号を受信すると、中水Ｗｂの利用が許可されていないことを表示してトイレ使用者に通知するとともに、電動ポンプ３０Ｅを停止させ、また、中水流量弁１６Ｂを止水状態にする。
【００６１】
この状態で、トイレ使用者により「便器洗浄」のスイッチ操作が行われると、図３（ｃ）に示すように、トイレ側コントローラ２０は、上水流量弁１６Ａを開き、上水流量計１８Ａからの信号により上記所定量まで上水Ｗａで便器洗浄を行う。
【００６２】
便器洗浄終了後、上水タンク１２Ａにおいては、上水系統からの水圧により上水タンク１２Ａに満水基準量までの注水を行い、次回のトイレ使用に備える。
（２）上水Ｗａが供給されない場合（断水の場合）（ステップＳ８でＮＯの場合）
浴室使用者が断水状態にあることを把握している場合には、浴室側コントローラ４０の操作パネルにおいて上水設定を「断水」に設定する。また、トイレ使用者が断水状態にあることを把握している場合には、トイレ側コントローラ２０の操作パネルにおいて上水設定を「断水」に設定する。
【００６３】
そして、浴室側コントローラ４０の操作パネルにおいて、浴室使用者は「貯留」または「排水」を選択する。この場合、ステップＳ１０の「洗浄中止モード」が選択される。
【００６４】
すなわち、浴室側コントローラ４０は、図４（ｆ）に示すように、三方弁３６を「貯留」または「排水」位置（図４（ｆ）では「貯留」位置）にするとともに、トイレ側コントローラ２０に「貯留」または「排水」の信号を送信する。トイレ側コントローラ２０は、これらの信号を受信すると、中水Ｗｂ、上水Ｗａいずれでも便器洗浄できないことを表示してトイレ使用者に通知する。
【００６５】
ただし、この場合においても、図４（ｆ）に示すように、上水タンク１２Ａ内に残っている上水Ｗａの量の範囲内または中水タンク１２Ｂ内に残っている中水Ｗｂの量の範囲内で、上水手動レバー２２Ａまたは中水手動レバー２２Ｂの操作による便器洗浄が可能である。
＜II＞電力が供給されない場合（停電の場合）（ステップＳ１でＮＯの場合）
［Ａ］浴槽６０に水がある場合（ステップＳ１１でＹＥＳの場合）
この場合、トイレ使用者によって、ステップＳ１２の「中水手動モード」が選択可能である。
【００６６】
すなわち、図４（ｄ）に示すように、トイレ使用者は、三方弁３６を手動で操作して「中水利用」位置にするとともに、三方弁３２を手動で操作して、中水配管３４を手動ポンプ３０Ｍに繋ぐようにする。そして、トイレ使用者は、排泄後、中水手動レバー２２Ｂを操作し、中水タンク１２Ｂ内の中水Ｗｂで便器洗浄を行う。
【００６７】
便器洗浄終了後、トイレ使用者は、次回利用時のために手動ポンプ３０Ｍを操作し、満水基準量まで中水タンク１２Ｂに中水Ｗｂを汲み上げる。
［Ｂ］浴槽６０に水がない場合（ステップＳ１１でＮＯの場合）
（１）上水Ｗａが供給される場合（ステップＳ１３でＹＥＳの場合）
この場合、トイレ使用者によって、ステップＳ１４の「上水手動モード」が選択可能である。
【００６８】
すなわち、図４（ｅ）に示すように、トイレ使用者は、排泄後、上水手動レバー２２Ａを操作し、上水タンク１２Ａ内の上水Ｗａで便器洗浄を行う。
【００６９】
便器洗浄終了後、上水系統の水圧により、満水基準量まで上水タンク１２Ａに上水Ｗａが給水される。
（２）上水Ｗａが供給されない場合（断水の場合）（ステップＳ１３でＮＯの場合）
この場合、ステップＳ１０の「洗浄中止モード」となり、トイレは使用することができない。
【００７０】
ただし、この場合においても、図４（ｆ）に示すように、上水タンク１２Ａ内に残っている上水Ｗａの量の範囲内または中水タンク１２Ｂ内に残っている中水Ｗｂの量の範囲内で、上水手動レバー２２Ａまたは中水手動レバー２２Ｂの操作による便器洗浄が可能である。
【００７１】
以上詳述したように、本実施形態に係るトイレ洗浄装置１０は、その洗浄水タンク１２として上水タンク１２Ａと中水タンク１２Ｂとを備えており、その上で、上水タンク１２Ａと便器５０との間の上水配管１４Ａに、上水タンク１２Ａから便器５０に供給される上水Ｗａの量を調節するための上水流量弁１６Ａが配置されるとともに、中水タンク１２Ｂと便器５０との間の中水配管１４Ｂに、中水タンク１２Ｂから便器５０に供給される中水Ｗｂの量を調節するための中水流量弁１６Ｂが配置されており、そして、便器洗浄のための所定量の洗浄水として、中水タンク１２Ｂから便器５０へ中水Ｗｂを流した後に上水タンク１２Ａから便器５０へ上水Ｗａを流すように、上水流量弁１６Ａおよび中水流量弁１６Ｂを制御するトイレ側コントローラ２０を備えているので、次のような作用効果を得ることができる。
【００７２】
すなわち、上記所定量の洗浄水として、中水タンク１２Ｂから便器５０へ中水Ｗｂを流した後に上水タンク１２Ａから便器５０へ上水Ｗａを流すことにより、この洗浄水をすべて上水Ｗａとした場合に比して上水Ｗａの節水を図ることができる。しかも、このように中水Ｗｂを流した後に上水Ｗａを流すことにより、水封用の水を上水Ｗａとすることができる。
【００７３】
このように本実施形態によれば、洗浄水タンク１２から所定量の洗浄水を便器５０に流して便器洗浄を行うように構成されたトイレ洗浄装置１０において、上水Ｗａの節水を図るようにした上で、水封用の水を上水Ｗａとすることができる。
【００７４】
そして、このように水封用の水を上水Ｗａとすることにより、美観が保たれ、無臭である。また、トイレ使用の際、排泄した便や尿の色や出血の有無等を目視で確認して、自らの健康管理を行うことができる。しかも、このように水封用の水を上水Ｗａとすることにより、トイレの洗浄や防汚・殺菌等のための薬品等を付加することが容易に可能となる。
【００７５】
また、本実施形態に係るトイレ洗浄装置１０が、マンション等の集合住宅に設置される場合には、高架水槽への揚水量を少なくすることができ、これにより建物全体での節水を図ることができる。しかもその際、揚水ポンプの能力や高架水槽の容量を小さくすることができるので、これにより設備のコストダウンや省資源化等を図ることができる。
【００７６】
その際、本実施形態に係るトイレ洗浄装置１０においては、トイレ側コントローラ２０による上水流量弁１６Ａおよび中水流量弁１６Ｂの制御が、上記所定量の洗浄水に対して半分以上の量の中水Ｗｂを流した後に残りの量の上水Ｗａを流すように行われる構成となっているので、水封用の水を上水Ｗａとした上で、上水Ｗａの節水効果を高めることができる。
【００７７】
また、本実施形態に係るトイレ洗浄装置１０においては、中水ポンプ３０として電動ポンプ３０Ｅと手動ポンプ３０Ｍとが並列で配置されており、また、中水配管３４における浴槽６０と両ポンプ３０Ｅ、３０Ｍとの間の部分に、両ポンプ３０Ｅ、３０Ｍ間において流路を切り換えるための切換弁として三方弁３２が配置されているので、停電時に、浴槽６０の残り湯を用いた便器洗浄を、バケツ等を用いることなく容易に行うことができる。
【００７８】
なお、停電時以外であっても、節電のために、電動ポンプ３０Ｅを止めて手動ポンプ３０Ｍにより中水Ｗｂを汲み上げるようにすることも可能である。
【００７９】
さらに、本実施形態に係るトイレ洗浄装置１０においては、中水配管３４における浴槽６０と三方弁３２との間の部分に、浴槽６０からの中水Ｗｂの供給を停止するための止水弁として三方弁３６が配置されているので、入浴中あるいは入浴の予定があるにもかかわらず、浴槽６０の湯が不用意に洗浄水として用いられてしまうのを未然に防止することができる。その際、止水弁として三方弁３６が用いられていることにより、浴槽６０からの中水Ｗｂの供給停止だけでなく浴槽６０の残り湯の排水も行うことが可能となり、これにより浴槽６０の排水管を中水配管３４として利用することが可能となる。
【００８０】
また、本実施形態においては、排泄後の便器洗浄に浴槽６０の残り湯を使うか否かを、その都度選択することが可能であり、例えば、入浴中は使用せず、昼間は使用する等の選択が可能である。また、浴室側コントローラ４０の操作により、浴室側でも浴槽６０の湯を送り出さないように設定することも可能であり、これにより誤って浴槽６０の湯が使われてしまわないようにすることができる。
【００８１】
上記実施形態において、電動ポンプ３０Ｅとして、浴槽６０に給湯するための給湯用ポンプを流用することも可能である。
【００８２】
なお、上記実施形態において諸元として示した数値は一例にすぎず、これらを適宜異なる値に設定してもよいことはもちろんである。
【符号の説明】
【００８３】
１０  トイレ洗浄装置
１２  洗浄水タンク
１２Ａ  上水タンク
１２Ｂ  中水タンク
１４Ａ  上水配管
１４Ｂ、３４  中水配管
１６Ａ  上水流量弁
１６Ｂ  中水流量弁
１８Ａ  上水流量計
１８Ｂ  中水流量計
２０  トイレ側コントローラ（コントローラ）
２２Ａ  上水手動レバー
２２Ｂ  中水手動レバー
２４Ａ  第２の上水配管
２４Ｂ  第２の中水配管
２６、３８  水位計
３０  中水ポンプ
３０Ｅ  電動ポンプ
３０Ｍ  手動ポンプ
３２  三方弁（切換弁）
３６  三方弁（止水弁）
４０  浴室側コントローラ
５０  便器
６０  浴槽
Ｗａ  上水
Ｗｂ  中水
【図１】
0005829480.tif 000002
【図２】
0005829480.tif 000003
【図３】
0005829480.tif 000004
【図４】
0005829480.tif 000005